(57)【要約】【課題】とり木用土袋の取付けが容易で、発根の状態が容易に観察でき、過剰な温度上昇を抑制することでとり木部の焼けを防止することのできるとり木用具を提供する。【解決手段】とり木部１５の幹とほぼ平行方向の溶着部（仕切り部）１１で二つの小袋に仕切られた通気性とり木用土袋１の小袋１２，１３にとり木用土２が充填され、不透水半遮光性のシルバーマルチフィルム３と通気性透明ＰＥフィルム４が連結部分６で上下に連結され、とり木用土袋１の一側端と被覆フィルム５の一側端は連結部分６の高さがとり木用土袋１の高さの中間に位置するように連結されていて、被覆フィルム５の裏面５ｂのとり木用土袋１から隔たった部分に粘着テープ７が貼着され、粘着テープ７には離型紙８が貼着されており、粘着テープ７が貼着されていない表面５ａの、とり木用土袋１の上端より高い位置および下端より低い位置に結束バンド９，１０が取りつけられている。【選択図】図１
0003130106.tif 000002
【実用新案登録請求の範囲】
【請求項１】
とり木部の幹または枝とほぼ平行方向の仕切り部で二以上の小袋に仕切られた、通気性を有する樹脂フィルム製とり木用土袋の各小袋にとり木用土が充填されていることを特徴とするとり木用具。
【請求項２】
不透水性で遮光性ないし半遮光性樹脂フィルムと、透明で通気性を有する樹脂フィルムとが上下に連結されて被覆フィルムとされ、とり木用土袋の一側端と上記被覆フィルムの一側端は、不透水性で遮光性ないし半遮光性樹脂フィルムと透明で通気性を有する樹脂フィルムの連結部がとり木用土袋の高さの中間に位置するように連結されていて、被覆フィルムの片面のとり木用土袋から離隔した部分に、とり木部の幹または枝とほぼ平行方向に剥離層を有する粘着テープが貼着され、上記粘着テープが貼着されていない被覆フィルムの他の片面の、とり木用土袋の上端より高い位置および下端より低い位置に緊締具が取りつけられていることを特徴とする請求項１記載のとり木用具。
【請求項３】
とり木用土袋が光分解性樹脂フィルムによって製せられていることを特徴とする請求項１または２記載のとり木用具。
【考案の詳細な説明】
【技術分野】
【０００１】  本考案は木の幹や枝の一部から発根させ、親株から切り離して新しい苗木にする繁殖法であるとり木に使用されるとり木用具に関するものである。
【背景技術】
【０００２】  とり木の方法としては幹や枝の一部を剥皮し、剥皮部を保護して発根させることが行われている。その際剥皮部（即ちとり木部）の周囲に、ミズゴケ、赤玉土、鹿沼土、炭、パーライトなどのとり木用土を団子状にしてあてがい、とり木用土を湿潤状態に保っておけるようにその外側を不透水性の合成樹脂フィルムで覆って、周囲をひも、針金、縄などの緊締具で縛り固定する方法が行われている。
しかし、上記のような従来のとり木用材料と方法によってとり木をするには、とり木用土、通気性を有する合成樹脂フィルム、不透水性の合成樹脂フィルム、ひも・針金・縄などの緊締具などをそれぞれ手落ちなく用意しなければならず、材料の調達・保管・管理が煩雑である。
また、とり木作業の実施に際しては、とり木用土を団子状にして剥皮部にあてがい、通気性の合成樹脂フィルムで覆い、さらにその外側を不透水性の合成樹脂フィルムで覆い、とり木用土の重量を手で支えながら外周に縄を巻きつけたり、あるいはその下部、次いで上部をひもや針金などの緊締具で縛って固定するというような方法が行われているが、作業がやりにくく、煩雑で手間と時間がかかるという問題がある。【０００３】  そこで本考案者は、上記の欠点を解消するために、実用新案登録第３１１５２５７号（実願２００５−００５６６１号）に示すようなとり木用具を提案した。このとり木用具は、通気性を有する袋にとり木用土を充填したとり木用土袋と、不透水性合成樹脂フィルムが一体に連結され、不透水性合成樹脂フィルムのとり木用土袋から離隔した部分の片面に、剥離層（離型紙）を有する粘着テープが貼着され、不透水性合成樹脂フィルムの粘着テープが貼着されていない面の上下部分に、緊締具が取りつけられているものであって、通気性を有する袋は小さな通気孔が多数穿設された合成樹脂製の袋で、不透水性合成樹脂フィルムの一側辺に溶着などにより一体に連結され、不透水性合成樹脂フィルムの、とり木用土袋から離隔した部分の片面には粘着テープが貼着され、粘着テープの表面には剥離紙が貼着されているものである。そして不透水性合成樹脂フィルムの粘着テープが貼着されていない面の上下部分に緊締具が取りつけられているものである。【０００４】  前記実録第３１１５２５７号のとり木用具は、材料を個別に手配する煩わしさがなく、またとり木作業を実施するに当っては、とり木用土袋を剥皮部にあてがい、次いで不透水性の合成樹脂フィルムを巻きつけながら剥皮部を覆い、粘着テープによって不透水性合成樹脂フィルムの端部を仮り止めし、自由になった手で不透水性合成樹脂フィルムの上下を緊締具で縛って固定すればよいから、作業が簡単・容易で時間がかからず、未熟練者でも容易に行うことができるものである。【０００５】  しかしながら、実録第３１１５２５７号のとり木用具は、とり木用土袋が連続したひとつの袋状であるため、とり木用土袋をとり木部の幹や枝の外周に巻きつけようとすると、座布団を巻きつけるように内容物のとり木用土が邪魔になって曲がりにくく、うまく巻きつけられないことがある。
また、とり木部は常に適度の湿潤状態と温度に保たれ、且つ発根の状態を容易に観察できることが必要であるが、透明なとり木用土袋ではとり木部が日射により熱せられ過ぎて焼けたり水分が蒸発してしまい、発根に失敗することがある。反対に不透明なとり木用土袋では、発根の状態を外部から観察することができないという欠点がある。
更に、とり木部から発根後、とり木用土袋をそのまま放置すれば見苦しく邪魔であるため、とり木用土袋を手間をかけて取り除かなければならないが、手間と時間がかかる上、とり木用土袋の残滓が残って環境に悪影響を及ぼす恐れがある。
【考案の開示】
【考案が解決しようとする課題】
【０００６】  本考案は、上記のような問題を解消するものであって、請求項１記載の本考案とり木用具は上記のような欠点を解消して、とり木部への巻きつけや固定が容易なとり木用具を提供しようとするものである。
請求項２記載のとり木用具は、とり木部の発根の状態を外部から容易に観察することができるとともに、温度や湿潤状態を調節することができ、それによって発根部の焼けを防止することができるとり木用具を提供しようとするものである。
請求項３記載のとり木用具は、環境への悪影響を及ぼさないように、とり木部から発根後手間をかけてとり木用土袋を除去しなくても、とり木用土袋の残滓を残さないとり木用具を提供しようとするものである。
【課題を解決するための手段】
【０００７】  本考案請求項１のとり木用具は、とり木部の幹または枝とほぼ平行方向の仕切り部で二以上の小袋に仕切られた、通気性を有する樹脂フィルム製とり木用土袋の各小袋にとり木用土が充填されていることを特徴とするものである。【０００８】  請求項２記載のとり木用具は、不透水性で遮光性ないし半遮光性樹脂フィルムと、透明で通気性を有する樹脂フィルムとが上下に連結されて被覆フィルムとされ、とり木用土袋の一側端と被覆フィルムの一側端は、不透水性で遮光性ないし半遮光性樹脂フィルムと透明で通気性を有する樹脂フィルムの連結部がとり木用土袋の高さの中間に位置するように連結されていて、被覆フィルムの片面のとり木用土袋から離隔した部分に、とり木部の幹または技とほぼ平行方向に剥離層を有する粘着テープが貼着され、上記粘着テープが貼着されていない被覆フィルムの他の片面の、とり木用土袋の上端より高い位置および下端より低い位置に緊締具が取りつけられている、請求項１記載のとり木用具である。
なお、ここに言う遮光性ないし半遮光性樹脂フィルムは、光を遮断する性能（遮光性）を厳密に規定したものでなくてよく、農業用に用いられる黒マルチフィルムあるいはシルバーマルチフィルムなどでよい。【０００９】  請求項３のとり木用具は、とり木用土袋が光分解性樹脂フィルムによって製せられている、請求項１または２記載のとり木用具である。
【考案の効果】
【００１０】  請求頃１のとり木用具は上記のような構成であるから、とり木用土袋をとり木部に取りつける場合、とり木用土袋の仕切り部は曲がりやすいので幹や枝に容易に巻きつけることができ、とり木作業を楽に行うことができる。【００１１】  請求項２記載のとり木用具は上記のような構成であるから、とり木部の発根状態などを観察したい場合には、被覆用フィルムの不透水性で遮光性ないし半遮光性フィルムの部分をまくり上げることにより、とり木用土袋の外からとり木部を容易に観察することができる。
そしてとり木部に焼けの兆候が観察されれば、不透水性で遮光性ないし半遮光性樹脂フィルムの部分を垂らし、日射をさえぎって温度と水分の蒸発を調節することにより、とり木部の焼けを防止することができる。
なお、とり木部へのとり木用土袋の仮止めや固定作業は未熟練者でも容易且つ簡単に行うことができるだけでなく、必要な材料の調達や管理などの煩雑さを伴うこともなくて経済的である。【００１２】  また、請求項３記載のとり木用具は、とり木用土袋が光分解性樹脂フィルムで造られたものであるから、通気性を持たせるための孔から発根した後は、放置しておくだけでとり木用土袋が光によって分解・消滅してしまうので、手間をかけてとり木用土袋を取り除く必要がなく、また環境を汚すこともない。
【考案を実施するための最良の形態】
【００１３】  とり木用土袋としては、厚さ０．０２ｍｍ乃至０．０５ｍｍのポリエチレン（ＰＥ）製のものが良好であるが、植物性樹脂などを用いた光分解性樹脂フィルムのものがより好ましい。
とり木用土袋には微細な通気孔が多数穿設されていて通気性を有し、とり木部の幹や枝とほぼ平行方向に溶着された溶着部、あるいは縫合部によって二つ以上の小袋に仕切られていて、各小袋にはとり木用土が充填され、周囲は溶着によってシールされている。
なお、溶着部あるいは縫合部の数、すなわち小袋部分の数は、とり木部の幹または技の大きさ、とり木用土の量などに応じて変えることが好ましい。【００１４】  不透水性で遮光性ないし半遮光性樹脂フィルムとしては、厚さ０．０２ｍｍ乃至０．０５ｍｍのＰＥ製黒マルチフィルムまたはシルバーマルチフィルムといわれているものが好適である。その大きさは、とり木用土袋の上下を緊締具で縛ったときに、とり木用土袋の周囲および上下を包みこむことができるものとする。
また、透明で通気性を有する樹脂フィルムとしては、厚さ０．０２ｍｍ乃至０．０５ｍｍのＰＥ製または軟質ＰＶＣ製フィルムが好適である。【００１５】  とり木用土袋と不透水性で遮光性ないし半遮光性樹脂フィルムとの連結、および不透水性で遮光性ないし半遮光性樹脂フィルムと透明で通気性を有する樹脂フィルムとの連結は、連結強さが丈夫で連結作業が容易な溶着が好適である。
緊締具は針金または野菜などを結束するための結束バンド等が好適に用いられる。
【実施例】
【００１６】  以下添付図面に従って、請求項１記載の本考案の一実施例を説明する（図１参照）。
とり木用土袋１は微細な通気孔（図示せず）が多数穿設された透明なＰＥ製の袋で、とり木部１５の幹や枝とほぼ平行方向に溶着された溶着部１１により縦方向の小袋１２、１３に仕切られていて、各小袋１２，１３にはとり木用土２が充填され、それぞれ独立してシールされた状態とされている。【００１７】  ３はシルバーマルチフィルム（以下「シルバーマルチ」と称する）、４は透明ＰＥフィルムで微細な通気孔（図示せず）が多数穿設されていて通気性を有する。
シルバーマルチ３と透明ＰＥフィルム４は上下に溶着され連結されて被覆フィルム５を形成し、シルバーマルチ３と透明ＰＥフィルム４の上下方向の連結部６はとり木用土袋１の高さのほぼ中間に位置するように溶着されているとともに、とり木用土袋１の一側端と被覆フィルム５の一側端とが溶着され連結されている。【００１８】  被覆フィルム５の裏面５ｂ側の、とり木用土袋１から離隔した部分に、シルバーマルチ３と透明ＰＥフィルム４の両方にわたり、とり木部１５の幹とほぼ平行方向に粘着テープ７が貼着され、粘着テープ７の表面には離型紙８が貼着されている。【００１９】  また、シルバーマルチ３の、上記粘着テープ７が貼着されていない表面３ａには、とり木用土袋１から離隔した部分の、とり木用土袋１の上端より高い位置に結束バンド９がほぼ水平方向に取付けられ、透明ＰＥフィルム４の表面４ａには、とり木用土袋１から離隔した部分の、とり木用土袋１の下端より低い位置に結束バンド１０がほぼ水平方向に取付けられている。【００２０】  次に、本考案の使用態様について説明する（図２参照）。
被覆フィルム５の裏面５ｂを内側にして、とり木用土袋１をとり木部（剥皮部）１５にあてがい、被覆フィルム５をとり木用土袋１の上から巻きつけながらとり木部１５の周囲を覆う。次いで離型紙８を剥がして粘着テープ７の粘着面を露出させ、先に巻きつけた被覆フィルム５に粘着させ仮り止めする。次いで被覆フィルム５の上部に結束バンド９を巻きつけ、両端同士をねじり合わせて縛り固定する。同様にして下部を結束バンド１０で縛り固定する。次いで被覆フィルム５を垂らしてとり木用土袋１を被覆する（図２（１）参照）。【００２１】  とり木部１５の発根状態などを観察したい場合は、被覆フィルム５のシルバーマルチ３の部分を矢印Ｚで示すようにまくり上げる（図２（２）参照）ことによって、とりとり木用土袋１の外から容易に観察することができる。観察の結果とり木部に焼けの兆候が見られる場合には、シルバーマルチ３の部分を外へ折り曲げて垂らす（図２（１）参照）ことにより日射を調節し、とり木部１５の過剰な温度上昇と水分の蒸発を抑制して、焼けを防止することができる。
【図面の簡単な説明】
【００２２】
【図１】  本考案とり木用具の説明図である。（１）正面図  （２）背面図  （３）一部拡大上面図
【図２】  図１に示すとり木用具の使用状態の説明図である。（１）被覆フィルムを垂らした状態  （２）被覆フィルムのシルバーマルチフィルム部分をまくり上げた状態
【符号の説明】
【００２３】  １            とり木用土袋
１１        溶着部（仕切り部）
１２、１３  小袋
２            とり木用土
３            シルバーマルチフィルム
４            透明ＰＥフィルム
５            被覆フィルム
６            シルバーマルチフィルムと透明ＰＥフィルムの連結部分
７            粘着テープ
８            離型紙
９，１０      結束バンド
１５            とり木部（剥皮部）
【図１】
0003130106.tif 000003
【図２】
0003130106.tif 000004